(57)【要約】【課題】本発明は油脂等の浮遊物を含んだ上層水を回収すると共に、液体のみを循環可能とした分離槽を提供することを目的とするものである。【解決手段】所定の液体を貯留可能に構成された分離槽本体２と、この分離槽本体２に貯留された液体のうち、液面近傍の液体を回収可能に構成された回収装置３と、この回収装置３で回収された液体を貯留可能に構成された貯留タンク４と、この貯留タンク４の底部近傍で同貯留タンク４の内部と連通状に接続されると共に、貯留タンク４内に貯留された液体を貯留タンク４との接続箇所よりも所定高さ上方まで導いた後に分離槽本体２に供給可能に構成された供給装置１２とを備える。【選択図】図１
2013223832.tif 000002
【特許請求の範囲】
【請求項１】
所定の液体を貯留可能に構成された分離槽本体と、
該分離槽本体に貯留された液体のうち、液面近傍の液体を回収可能に構成された回収装置と、
該回収装置で回収された液体を貯留可能に構成された貯留タンクと、
該貯留タンクの底部近傍で同貯留タンクの内部と連通状に接続されると共に、前記貯留タンク内に貯留された液体を前記貯留タンクとの接続箇所よりも所定高さ上方まで導いた後に前記分離槽本体に供給可能に構成された供給装置とを備える
分離槽。
【請求項２】
前記回収装置が、
前記分離槽本体内に設置されると共に、一端が吸引手段に接続された中空状の支持体と、
前記分離槽本体内に設置されると共に、略鉛直方向に摺動可能に前記支持体に嵌入された中空状の吸引体と、
該吸引体の前記支持体に嵌入された端部とは反対側の端部の近傍に取り付けられたフロートとを有する
請求項１に記載の分離槽。
【請求項３】
前記供給装置の上方位置に、同供給装置内に連通状とされた空気抜き穴を有する
請求項１または請求項２に記載の分離槽。
【請求項４】
前記貯留タンクと前記供給装置との間に、同貯留タンク内の液体の供給を調整可能に構成されたバルブを備える
請求項１、請求項２または請求項３に記載の分離槽。
【請求項５】
前記貯留タンクは、前記分離槽本体より高い位置とされた
請求項１、請求項２、請求項３または請求項４に記載の分離槽。
【請求項６】
所定の液体を貯留可能に構成された分離槽本体に貯留された液体のうち、液面近傍の液体を回収可能に構成された回収装置と、
該回収装置で回収された液体を貯留可能に構成された貯留タンクと、
該貯留タンクの底部近傍で同貯留タンクの内部と連通状に接続されると共に、前記貯留タンク内に貯留された液体を前記貯留タンクとの接続箇所よりも所定高さ上方まで導いた後に前記分離槽本体に供給可能に構成された供給装置とを備える
分離槽。
【請求項７】
所定の液体を貯留可能に構成された分離槽本体に貯留された液体のうち、液面近傍の液体を回収可能に構成された回収装置と、
該回収装置で回収された液体を貯留可能に構成された貯留タンクと、
前記回収装置で回収され、前記貯留タンクに貯留された液体の量に応じて、前記貯留タンクの底部近傍の液体を回収すると共に、回収された液体を前記分離槽本体に供給する供給装置とを備える
分離槽。
【発明の詳細な説明】
【技術分野】
【０００１】
本発明は、分離槽に関する。詳しくは、油脂等の浮遊物を含んだ上層水を回収して浮遊物を分離するようにした分離槽に係るものである。
【背景技術】
【０００２】
従来より、分離槽として例えば、厨房から排出される油脂を多く含んだ汚水を床下等に設けられた回収槽に一旦貯留し、浮上した油脂を回収した後に分離された水のみを下水道に排水するグリストラップがある。
【０００３】
その一例として、例えば特許文献１に記載されたグリストラップでは、図７に示すように、油脂を多く含んだ汚水が収納された原液タンク１０１内に、吸込口１０２が浮上油１０３の下面に位置するように、フロート１０４で支持された吸引フロート装置１０５が配置されている。
【０００４】
また、吸引フロート装置１０５は、真空タンク１０６を介して吸引手段１０７に接続されている。更に、真空タンク１０６の底部には電磁弁により開閉可能な排出口１０８が設けられている。
【０００５】
ここで、原液タンク１０１内の液面近傍の油を多く含む汚水は、吸引フロート装置１０５で吸引されて真空タンク１０６内に回収される。そして、真空タンク１０６に回収された油を多く含む汚水は、真空タンク１０６底部の排出口１０８から廃油回収タンク１０９へ排出される。
【先行技術文献】
【特許文献】
【０００６】
【特許文献１】特開２００４−３０５９３３号公報
【発明の概要】
【発明が解決しようとする課題】
【０００７】
ところで、上述した特許文献１に記載の浮上油回収装置では、吸引フロート装置で油脂が汚水と共に吸引されて真空タンク内に回収されることとなり、廃棄される油脂は水との混合液となる。
【０００８】
従って、廃油として処理する量が多く、廃油回収タンクの設置場所の確保等の必要性が生じる。また、油脂分のみをリサイクルして燃料等に再活用することが行われているが、この場合には、更に油脂と水との分離の必要性が生じてくる。
【０００９】
本発明は、以上の点に鑑みて創案されたものであって、油脂等の浮遊物を含んだ上層水を回収し、浮遊物と液体を分離可能とした分離槽を提供することを目的とするものである。
【課題を解決するための手段】
【００１０】
上記の目的を達成するために、本発明に係る分離槽は、所定の液体を貯留可能に構成された分離槽本体と、該分離槽本体に貯留された液体のうち、液面近傍の液体を回収可能に構成された回収装置と、該回収装置で回収された液体を貯留可能に構成された貯留タンクと、該貯留タンクの底部近傍で同貯留タンクの内部と連通状に接続されると共に、前記貯留タンク内に貯留された液体を前記貯留タンクとの接続箇所よりも所定高さ上方まで導いた後に前記分離槽本体に供給可能に構成された供給装置とを備える。
【００１１】
ここで、所定の液体を貯留可能に構成された分離槽本体によって、例えば、油脂分等の浮遊物を含んだ液体を貯留することができ、浮遊物と液体とに分離することが可能となる。
【００１２】
また、分離槽本体に貯留された液体のうち、液面近傍の液体を回収可能に構成された回収装置によって、油脂分等の浮遊物を含んだ液体（上層水）を回収することができ、分離槽本体に貯留された液体（浮遊物を含んだ液体）から油脂等の浮遊物を除去することが可能となる。
【００１３】
また、回収装置で回収された液体を貯留可能に構成された貯留タンクによって、浮遊物を含んだ液体を貯留タンク内で浮遊物と液体とに分離することが可能となる。
【００１４】
また、供給装置が貯留タンクの底部近傍で貯留タンクの内部と連通状に接続されたことによって、貯留タンク内で分離された浮遊物（上層）と液体（下層）のうち、液体（下層）のみを分離槽本体に供給することが可能となる。
【００１５】
また、供給装置が貯留タンク内に貯留された液体を貯留タンクとの接続箇所よりも所定高さ上方まで導いた後に分離槽本体に供給可能に構成されたことによって、貯留タンクの液面を一定に保つことができ、回収装置で回収された液体（浮遊物を含んだ液体）の量に応じて、下層に分離された液体のみを分離槽本体に供給することが可能となる。
【００１６】
また、回収装置が、分離槽本体内に設置されると共に、一端が吸引手段に接続された中空状の支持体と、分離槽本体内に設置されると共に、略鉛直方向に摺動可能に支持体に嵌入された中空状の吸引体と、この吸引体の支持体に嵌入された端部とは反対側の端部の近傍に取り付けられたフロートとを有する場合には、吸引体が分離槽本体内の液面の変動に応じて追従することが可能となる。これにより、分離槽本体内の液面に変動が生じた場合であっても、液面変動に影響を受けることなく、液面近傍の上層水を回収することが可能となる。
【００１７】
また、供給装置の上方位置に、この供給装置内に連通状とされた空気抜き穴を有する場合には、供給装置から分離槽本体内へ供給される液体の負圧で貯留タンク内の液体が継続して分離槽本体内へ流れ込む現象を抑制することが可能となる。
【００１８】
また、貯留タンクと供給装置との間に、この貯留タンク内の液体の供給を調整可能に構成されたバルブを備える場合には、貯留タンクから供給装置への供給量を調整することができる。これにより、例えば、油脂分等の浮遊物を含んだ状態で貯留された液体（浮遊物を含んだ液体）が浮遊物（上層）と液体（下層）とに分離する時間を確保することが可能となる。
【００１９】
また、貯留タンクが分離槽本体より高い位置とされた場合には、貯留タンクと分離槽本体との高低差で液体を分離槽本体に供給することが可能となる。
【００２０】
また、上記の目的を達成するために、本発明に係る分離槽は、所定の液体を貯留可能に構成された分離槽本体に貯留された液体のうち、液面近傍の液体を回収可能に構成された回収装置と、該回収装置で回収された液体を貯留可能に構成された貯留タンクと、該貯留タンクの底部近傍で同貯留タンクの内部と連通状に接続されると共に、前記貯留タンク内に貯留された液体を前記貯留タンクとの接続箇所よりも所定高さ上方まで導いた後に前記分離槽本体に供給可能に構成された供給装置とを備える。
【００２１】
ここで、所定の液体を貯留可能に構成された分離槽本体に貯留された液体のうち、液面近傍の液体を回収可能に構成された回収装置によって、浮遊物を含んだ液体（上層水）を回収することができ、分離槽本体に貯留された液体（浮遊物を含んだ液体）から油脂等の浮遊物を除去することが可能となる。
【００２２】
また、回収装置で回収された液体を貯留可能に構成された貯留タンクによって、油脂分等の浮遊物を含んだ液体を貯留タンク内で浮遊物と液体とに分離することが可能となる。
【００２３】
また、供給装置が貯留タンクの底部近傍で貯留タンクの内部と連通状に接続されたことによって、貯留タンク内で分離された浮遊物（上層）と液体（下層）のうち、液体（下層）のみを分離槽本体に供給することが可能となる。
【００２４】
また、供給装置が貯留タンク内に貯留された液体を貯留タンクとの接続箇所よりも所定高さ上方まで導いた後に分離槽本体に供給可能に構成されたことによって、貯留タンクの液面を一定に保つことができ、回収装置で回収された液体（浮遊物を含んだ液体）の量に応じて、下層に分離された液体のみを分離槽本体に供給することが可能となる。
【００２５】
また、上記の目的を達成するために、本発明に係る分離槽は、所定の液体を貯留可能に構成された分離槽本体に貯留された液体のうち、液面近傍の液体を回収可能に構成された回収装置と、該回収装置で回収された液体を貯留可能に構成された貯留タンクと、前記回収装置で回収され、前記貯留タンクに貯留された液体の量に応じて、前記貯留タンクの底部近傍の液体を回収すると共に、回収された液体を前記分離槽本体に供給する供給装置とを備える。
【００２６】
ここで、所定の液体を貯留可能に構成された分離槽本体に貯留された液体のうち、液面近傍の液体を回収可能に構成された回収装置によって、油脂分等の浮遊物を含んだ液体（上層水）を回収することができ、分離槽本体に貯留された液体（浮遊物を含んだ液体）から油脂等の浮遊物を除去することが可能となる。
【００２７】
また、回収装置で回収された液体を貯留可能に構成された貯留タンクによって、油脂分等の浮遊物を含んだ液体を貯留タンク内で浮遊物と液体とに分離することが可能となる。
【００２８】
また、回収装置で回収され、貯留タンクに貯留された液体の量に応じて、貯留タンクの底部近傍の液体を回収すると共に、回収された液体を分離槽本体に供給する供給装置によって、回収装置で回収された液体（浮遊物を含んだ液体）の量に応じて、貯留タンク内で下層に分離された液体（浮遊物を含んでいない液体）のみを分離槽本体に供給することが可能となる。
【発明の効果】
【００２９】
本発明の分離槽によれば、例えば、油脂分等の浮遊物を含んだ液面近傍の液体（上層水）を回収し、更に浮遊物と液体とに分離することが可能となる。
【図面の簡単な説明】
【００３０】
【図１】本発明を適用した分離槽の一例を説明するための模式図である。
【図２】本発明を適用した分離槽における回収装置の一例を説明するための模式図である。
【図３】本発明を適用した分離槽における貯留タンクの一例を説明するための模式図である。
【図４】本発明を適用した分離槽における貯留タンクの貯留状態を説明するための模式図である。
【図５】本発明を適用した分離槽の他の例を説明するための模式図である。
【図６】本発明を適用した分離槽における回収装置の他の例を説明するための模式図である。
【図７】従来の分離槽の一例を説明するための模式図である。
【発明を実施するための形態】
【００３１】
以下、本発明の実施の形態を図面を参酌しながら説明し、本発明の理解に供する。
【００３２】
＜第１の実施の形態＞
図１は本発明を適用した分離槽の一例を説明するための模式図、図２は本発明を適用した分離槽における回収装置の一例を説明するための模式図である。
【００３３】
ここで示す分離槽１は、例えば、厨房等の床下に設けられる分離槽本体２と、この分離槽本体２内に配置される回収装置３と、この回収装置３で回収された液体が貯留される貯留タンク４から構成されている。
【００３４】
ここで、分離槽本体２は、その一端側に厨房からの、例えば生ゴミや油脂等の浮遊物が含まれた液体を流し込むための汚水流入パイプ５が配置されている。また、分離槽本体２の他端側には生ゴミや油脂等の浮遊物が取り除かれた汚水を下水道に排水するための汚水排水パイプ６が配置されている。
【００３５】
また、分離槽本体２の汚水流入パイプ５と汚水排水パイプ６との間には仕切り板２４が設けられ、液体投入区画部２５と液体回収区画部２６に分けられている。そして、液体回収区画部２６には回収装置３が配置されている。
【００３６】
そこで、液体投入区画部２５内には、網状の固形物回収バケット２７が取付けられ、汚水流入パイプ５から流入される固形物である生ゴミが固形物回収バケット２７で回収される構成とされている。
【００３７】
そして、固形物である生ゴミが取り除かれた状態での液体が仕切り板２４下部から液体回収区画部２６内へ流入する構成とされている。
【００３８】
回収装置３は、その上端が吸引口７とされる中空状の支持体８と、この支持体８の下端に、その一端が連通状に接続された吸引ポンプ１０と、この吸引ポンプ１０の他端に配置されたフレキシブルホース１１とから構成されている。
【００３９】
ここで、支持体８の吸引口７には、支持体８の外径よりも大きな椀形状の吸込部９が取付けられている。更に、吸込部９の開口端は水平状に形成されると共に、液面近傍に配置されている。
【００４０】
貯留タンク４は、吸引ポンプ１０を介してフレキシブルホース１１で連結され、液面近傍に配置された吸込部９から液体（上層水）が吸引されて貯留タンク４の上部より貯留される構成とされている。
【００４１】
図３（図３（Ａ）は本発明を適用した分離槽における貯留タンクの一例を説明するための平面模式図を示し、図３（Ｂ）は本発明を適用した分離槽における貯留タンクの一例を説明するための正面模式図を示し、図３（Ｃ）は本発明を適用した分離槽における貯留タンクの一例を説明するための側面模式図を示す。）は本発明を適用した分離槽における貯留タンクの一例を説明するための模式図である。
【００４２】
ここで、貯留タンク４には、供給装置１２が設置されている。この供給装置１２は、管体１５の一端が貯留タンク４内の底部に連通状となるように下部側壁に接続され、これより所定位置まで水平状に延設されている。
【００４３】
更に、貯留タンク４の壁面に沿って略直角状に折り曲げられて所定高さまで立設されると共に、水平状に折り曲げられ、再び下部側壁まで略直角状に折り曲げられている。そして、他端が分離槽本体２の液体投入区画部２５内に供給可能とされる送水管１３に連通状に接続された構成とされている。
【００４４】
また、供給装置１２は、管体１５の上端より上方に延出された空気抜き管２３の先端に空気抜き穴１４が開口されている。
【００４５】
このような構成の供給装置１２では、貯留タンク４に併設される管体１５の高さ位置と同じ貯留タンク４の位置まで貯留可能となる。従って、管体１５の高さ位置を超える液体が管体１５から送水管１３に供給される。
【００４６】
ここで、貯留タンク４内の水位が管体１５の高さ位置となった場合に、貯留タンク４の底部に係る水圧と管体１５の高さ位置まで液体を上昇させる圧力が同等となる。
【００４７】
従って、液体は管体１５を超えることができないが、分離槽本体２内へ流れ込む液体の負圧で貯留タンク４内の汚水が継続して分離槽本体２内へ流れ込もうとする、所謂サイフォン現象が生じる。そのため、空気抜き穴１４で、管体１５内に生じるから気圧を抜くことで分離槽本体２内へ流れ込む、戻り水を抑制することが可能となる。
【００４８】
更に、供給装置１２と貯留タンク４との間には、貯留タンク４内から排出される汚水の量を調整するためのバルブ２１が配置されている。また、供給装置１２の送水管１３側と貯留タンク４内の底部との間に貯留タンク４内の液体を抜くための排出バルブ２２が連通状に配置されている。
【００４９】
また、貯留タンク４の上端面１６からその内部の下方位置まで水供給用パイプ１７が挿通されている。この水供給用パイプ１７に例えば、雨水等を集水する樋（図示せず。）を連結することで貯留タンク４内の液体を薄めることが可能となる。
【００５０】
図４は本発明を適用した分離槽における貯留タンク内の貯留状態を説明するための模式図である。
【００５１】
先ず、厨房等から分離槽本体２内に汚水が流れ込み、液面近傍の液体（上層水）が、回収装置３の吸込部９の上方位置となった場合に、吸引ポンプ１０が作動する。
【００５２】
そして、吸引ポンプ１０の作動で、例えば油脂等の浮遊物を含んだ液体（上層水）が吸込部９内に吸引されて貯留タンク４内に貯留される。
【００５３】
このようにして貯留タンク４内に供給された液体（上層水）は、油脂Ａと液体Ｂとに分離されることとなる（図４（Ａ）参照）。
【００５４】
ここで、供給装置１２の管体１５の高さ位置が貯留タンク４に貯留可能な量であり、分離槽本体２から貯留タンク４に液体が供給され、液面が水位Ｃを超えようとすると管体１５内の水圧が高まり、液体Ｂが管体１５を超えて送水管１３に供給されることとなる。
なお、図４（Ｂ）は分離槽本体２から貯留タンク４に液体が供給されることで、図４（Ａ）の状態よりも、油脂Ａの割合が増えた状態を示している。
【００５５】
このようにして、貯留タンク４の水位Ｃが保持された状態で所定量の液体Ｂが送水管１３から分離槽本体２内に供給されて汚水排水パイプ６を通して下水道に排水されることとなる。
【００５６】
なお、貯留タンク４と分離槽本体２との高低差で液体を分離槽本体２に供給するために、吸引ポンプ１０の稼働時の送水量に比べると、貯留タンク４から分離槽本体２への液体Ｂの供給は、その速度が遅くなることが考えられる。その結果、吸引ポンプ１０の稼働時は、貯留タンク４内の水位が上昇することが懸念されるので、管体の高さで決める貯留水位の設定時には貯留タンク４に余裕（貯留タンク内の上端と水位との空間）を持たせる構成とする方が好ましい。
【００５７】
また、貯留タンク４内に供給される液体（上層水）は、油脂と浮遊物が混ざり合った状態であることから、浮遊物と液体（浮遊物を含まない液体）とに分離する時間を確保する必要があり、そのために供給装置１２の管体１５と貯留タンク４との間に設けたバルブ２１で排出量を調整している。
【００５８】
また、貯留タンク４内の油脂等の浮遊物の割合が多くなると、分離した液体（浮遊物を含まない液体）に油脂等が混濁し易くなってしまう。そこで、貯留タンク４の上端面１６からその内部の下方位置まで水供給用パイプ１７を通して水を供給することで、混濁した液体を薄め、貯留タンク４内での混濁を解消することが可能となる。
【００５９】
また、貯留タンク４内における油脂等の浮遊物の割合（図４（Ｃ）参照）が多くなり、浮遊物を回収する必要性が生じた場合には、吸引ポンプ１０を停止させる。そして、例えば、貯留タンク４の上端を開く、あるいは吸引ポンプ等で浮遊物を回収する。
【００６０】
なお、本実施の形態では、油脂分を分離する分離槽としてグリストラップについて詳述するものであるが、必ずしもグリストラップである必要性は無い。例えば、油脂以外の浮遊物を含む液体を回収して、液体のみを戻す構成であればいかなる分離槽であっても構わない。
【００６１】
以上の構成より成る本発明の分離槽では、例えば、生ゴミや油脂等の浮遊物を含んだ汚水を分離槽本体に貯留することで浮遊物と液体とに分離することが可能となる。
【００６２】
また、回収装置の吸込部を超えた浮遊物を含んだ上層水を吸引ポンプで回収し、貯留タンク内に貯留すると共に、浮遊物を含んだ上層水を浮遊物と液体と分離することが可能となる。
【００６３】
更に、貯留タンクの底部から供給装置で貯留タンク内の貯留量を保持するように液体のみを分離槽本体に供給することが可能となる。
【００６４】
このようにして、貯留タンク内で油脂等の浮遊物と液体を分離し、液体のみを分離槽本体に供給することで効率の良い浮遊物と液体との分離が可能となる。
【００６５】
また、例えば、貯留タンクから液体の含有を極力少なくした状態の油脂のみを回収することでリサイクルとして活用することが可能となる。
【００６６】
＜第２の実施の形態＞
図５は本発明を適用した分離槽の他の例を説明するための模式図、図６は本発明を適用した分離槽における回収装置の他の例を説明するための模式図である。
【００６７】
ここで示す分離槽１Ａは、例えば、厨房等の床下に設けられる分離槽本体２と、この分離槽本体２内に配置される回収装置３Ａと、この回収装置３Ａで回収された汚水が貯留される貯留タンク４から構成されている。
【００６８】
ここで、分離槽本体２は、その一端側に厨房からの、例えば生ゴミや油脂等の浮遊物が含まれた液体を流し込むための汚水流入パイプ５が配置されている。また、分離槽本体２の他端側には生ゴミや油脂等の浮遊物が取り除かれた汚水を下水道に排水するための汚水排水パイプ６が配置されている。
【００６９】
また、分離槽本体２の汚水流入パイプ５と汚水排水パイプ６との間には仕切り板２４が設けられ、液体回収区画部２５と液体排水区画部２６に分けられている。そして、液体回収区画部２５には回収装置３Ａが配置されている。
【００７０】
そこで、液体投入区画部２５内には、網状の固形物回収バケット２７が取付けられ、汚水流入パイプ５から流入される固形物である生ゴミが固形物回収バケット２７で回収される構成とされている。
【００７１】
そして、固形物である生ゴミが取り除かれた状態での液体が仕切り板２４下部から液体回収区画部２６内へ流入する構成とされている。
【００７２】
回収装置３Ａは、中空状の支持体８Ａと、この支持体８Ａに嵌入されると共に、その上端が吸引口７Ａとされた吸引体１８と、この吸引体１８の吸引口７Ａの近傍に配置された２個のフロート１９とから構成されている。
【００７３】
支持体３Ａの基端は吸引ポンプ１０に連通状に接続されると共に、吸引ポンプ１０を介してフレキシブルホース１１が接続されている。
【００７４】
吸引体１８の上端には、吸引体１８の外径よりも大きな椀形状の吸込部９Ａが取り付けられている。また、吸込部９Ａの下方には、水平状にフロート取付部２０が取り付けられている。また、このフロート取付部２０のそれぞれの先端にはフロート１９が配置されている。
【００７５】
このフロート１９は、その浮力で吸引体１８の吸込部９Ａの開口端が、水位に対して若干上方位置、あるいは略同一となるように設定されている。
【００７６】
貯留タンク４は、吸引ポンプ１０を介してフレキシブルホース１１で連結され、液面近傍に配置された吸込部９Ａから液体（上層水）が吸引されて貯留タンク４の上部より貯留される構成とされている。
【００７７】
貯留タンク４の構成については、上記した第１の実施の形態と同様である。
【００７８】
以上の構成より成る本発明の分離槽では、浮遊物を含んだ上層水の水位の変動に合わせて回収装置の吸込部が上下動して上層水を吸引ポンプで回収することができる。
【符号の説明】
【００７９】
１、１Ａ        分離槽
２              分離槽本体
３、３Ａ        回収装置
４              貯留タンク
５              汚水流入パイプ
６              汚水排水パイプ
７、７Ａ        吸引口
８、８Ａ        支持体
９、９Ａ        吸込部
１０            吸引ポンプ
１１            フレキシブルホース
１２            供給装置
１３            送水管
１４            空気抜き穴
１５            管体
１６            上端面
１７            水供給用パイプ
１８            吸引体
１９            フロート
２０            フロート取付部
２１            バルブ
２２            排出バルブ
２３            空気抜き管
２４            仕切り板
２５            液体投入区画部
２６            液体回収区画部
２７            固形物回収バケット
【図１】
2013223832.tif 000003
【図２】
2013223832.tif 000004
【図３】
2013223832.tif 000005
【図４】
2013223832.tif 000006
【図５】
2013223832.tif 000007
【図６】
2013223832.tif 000008
【図７】
2013223832.tif 000009